(57)【特許請求の範囲】
【請求項１】
熱交換器に冷却水を循環通水する冷却水系の汚れを監視する方法において、該熱交換器のＬＴＤ又はＡＴＤに基づく付着物の付着検出と、スライムセンサによるスライム付着検出とを行い、
ＬＴＤ又はＡＴＤに基づいて付着物の付着が検出された場合に、スライムセンサがスライムを検出していなければ、付着物はスケールであると判定し、
スライムセンサがスライムを検出しており、このスライム検出量がＬＴＤ又はＡＴＤに基づく付着量に見合う量であるときには、付着物はスライムであると判定し、
スライムセンサがスライムを検出しているが、このスライムセンサの検出スライム量がＬＴＤ又はＡＴＤに基づく付着検出量よりも少ないときには、スライムとスケールの双方が付着していると判定し、スライムセンサのスライム付着量に応じて付着物におけるスライムとスケールの割合を判別することを特徴とする冷却水ラインの汚れ監視方法。
【請求項２】
請求項１において、前記ＬＴＤ又はＡＴＤに基づく付着物の検出は、前記熱交換器の冷却水の入口温度及び出口温度と被冷却体の冷却後の温度とを測定し、下記(I)式又は(II)式によりＬＴＤ値又はＡＴＤ値を求め、次いで下記(III)式又は(IV)式により補正ＬＴＤ値又は補正ＡＴＤ値を求めることにより、付着物の検出を行うものであることを特徴とする冷却水ラインの汚れ監視方法。
ＬＴＤ＝被冷却体の冷却後の温度−冷却水出口温度  …(I)
ＡＴＤ＝被冷却体の冷却後の温度−冷却水入口温度  …(II)
補正ＬＴＤ＝ＬＴＤ×定格の冷却水出入口温度差÷冷却水出入口温度差  …(III)
補正ＡＴＤ＝ＡＴＤ×定格の冷却水出入口温度差÷冷却水出入口温度差  …(IV)
【請求項３】
請求項１又は２において、前記スライムセンサは、金属管内に発熱体及び測温体が挿入され、該発熱体及び測温体と該金属管の内面との間に充填材が充填されてなるプローブと、該発熱体への通電制御手段と、該測温体の計測温度から該金属管外面への付着物の付着判定を行う判定手段とを備え、該発熱体への通電量を変化させた際に該測温体で計測される温度の変化に基づいて該金属管外面への付着物の付着を判定するものであることを特徴とする冷却水ラインの汚れ監視方法。
【請求項４】
請求項１ないし３のいずれかに記載の方法によって冷却水系における付着物の検出を行い、この検出結果に基づいてスライム防止剤及び／又はスケール防止剤を該冷却水系に添加することを特徴とする薬注制御方法。
【発明の詳細な説明】
【技術分野】
【０００１】
本発明は、冷凍システム等における冷却水ラインの汚れを監視する方法と、冷却水ラインを制御する方法に関するものである。
【背景技術】
【０００２】
各種工場、ビル等では、冷凍機等の各種の熱交換器を含む水系が設けられ、冷却水と被冷却体とを熱交換器を介して接触させて、被冷却体を冷却（場合により潜熱を奪うのみのものも含む）している。
【０００３】
近年、冷却水系においては、節水を図るために、冷却水がより高濃縮、低流速で運転されるようになってきているが、このような運転条件下では、冷却水の蒸発に伴ってイオン成分が濃縮し、スケールが析出して冷凍機内に付着することがある。また、微生物が冷却水中で繁殖し、スライムが機器内に付着することもある。
【０００４】
このようなスケールやスライム等の汚れの付着により、被冷却体から冷却水への伝熱が阻害される。これにより、凝縮器においては、被冷却体凝縮量が減少する、圧力が上昇する、被冷却体温度が上昇し、圧縮機の負荷が上昇し、高圧カット（一定以上で圧縮機が停止する。）に到る、等の事態が生じることがある。また、冷凍能力が低下し、消費電力量が増加するため、エネルギー効率が低下する。
【０００５】
このため、冷凍機においては、汚れの付着状況を正確に推定し、その状況に応じて、冷却水にスケール防止剤やスライム防止剤を適切に添加する必要がある。
【０００６】
特許文献１に記載の通り、冷凍機の熱交換効率を知る指標として、Ｕ値（総括伝熱係数）や汚れ係数があるが、計算が煩雑である。また、単位が［℃］ではなく、これらの値のみから、直ちに高圧カットに到るか否かを判断することは難しい。更に、この判断を行うためには、汚れが付着していない正常な状態での計測値が必要となる。
【０００７】
このため、特許文献２に記載の通り、実際には、下記式で求められるＬＴＤ（Ｌｅａｖｉｎｇ  Ｔｅｍｐｅｒａｔｕｒｅ  Ｄｉｆｆｅｒｅｎｃｅ）やＡＴＤ（Ａｐｐｒｏａｃｈ  Ｔｅｍｐｅｒａｔｕｒｅ  Ｄｉｆｆｅｒｅｎｃｅ）が用いられている。
【０００８】
ＬＴＤ＝被冷却体の冷却後の温度−冷却水出口温度
ＡＴＤ＝被冷却体の冷却後の温度−冷却水入口温度
【０００９】
この被冷却体の冷却後の温度は、被冷却体の熱交換器出口温度として測定することができる。
【００１０】
一般に、圧縮式冷凍機では、熱交換が不十分になると被冷却体の冷却後の温度（この場合凝縮温度）が上昇し、一定レベルを超えると高圧カットを引き起こし、稼働不能となるため、ＬＴＤ，ＡＴＤで状況を判断することが可能である。即ち、上記２式から、ＡＴＤ＝ＬＴＤ＋（冷却水出口温度−冷却水入口温度）の関係式が得られ、これから求められるＡＴＤ（又はＬＴＤ）は温度を単位とするため、この温度と既知の被冷却体凝縮温度とを比較することにより、高圧カットが生じるか否かを直ちに判断することができる。
【００１１】
なお、このＡＴＤ，ＬＴＤは、汚れの他に負荷変動の影響を強く受けるところから、特許文献２には、このＬＴＤ，ＡＴＤを補正し、補正ＬＴＤ値又は補正ＡＴＤ値と基準値とを比較して熱交換器の汚れを監視することが記載されている。
【００１２】
特許文献３には、冷却水系のスライム付着を検知する付着物検出装置として、金属管内に発熱体及び測温体が挿入され、該発熱体及び測温体と該金属管の内面との間に充填材が充填されてなるプローブと、該発熱体への通電制御手段と、該測温体の計測温度から該金属管外面への付着物の付着判定を行う判定手段とを備え、該発熱体への通電量を変化させた際に該測温体で計測される温度の変化に基づいて該金属管外面への付着物の付着を判定するものが記載されている。
【先行技術文献】
【特許文献】
【００１３】
【特許文献１】特開２００３−３２２４９４
【特許文献２】特開平７−２１８１８８
【特許文献３】特開２０１０−１０１８４０
【発明の概要】
【発明が解決しようとする課題】
【００１４】
熱交換器の汚れ状態を推定する指標値としてＬＴＤ，ＡＴＤおよび補正ＬＴＤ、補正ＡＴＤを用いる方法では、汚れがスライムであるかスケールであるか判別できず、的確な薬注ができない。
【００１５】
本発明は、冷却水ラインの汚れがスライムであるかスケールであるか判別することができる冷却水ラインの汚れ監視方法と、この結果に応じて薬注を行う薬注制御方法とを提供することを目的とする。
【課題を解決するための手段】
【００１６】
本発明の冷却水ラインの汚れ監視方法は、熱交換器に冷却水を循環通水する冷却水系の汚れを監視する方法において、該熱交換器のＬＴＤ又はＡＴＤに基づく付着物の付着検出と、スライムセンサによるスライム付着検出とを行い、ＬＴＤ又はＡＴＤに基づいて付着物の付着が検出された場合に、スライムセンサがスライムを検出していなければ、付着物はスケールであると判定し、スライムセンサがスライムを検出しており、このスライム検出量がＬＴＤ又はＡＴＤに基づく付着量に見合う量であるときには、付着物はスライムであると判定し、スライムセンサがスライムを検出しているが、このスライムセンサの検出スライム量がＬＴＤ又はＡＴＤに基づく付着検出量よりも少ないときには、スライムとスケールの双方が付着していると判定し、スライムセンサのスライム付着量に応じて付着物におけるスライムとスケールの割合を判別することを特徴とするものである。
【００１７】
本発明の薬注制御方法は、かかる本発明方法によって冷却水系における汚水監視（付着物の検出）を行い、この結果に基づいてスライム防止剤及び／又はスケール防止剤を該冷却水系に添加することを特徴とするものである。
【発明の効果】
【００１８】
本発明の冷却水ラインの汚れ監視方法によると、冷却水系への付着物の付着検出だけでなく、付着物がスライムであるかスケールであるかについても精度よく判別することができる。そのため、この判別結果に基づいて、冷却水系に対しスライム防止剤又はスケール防止剤を添加することにより、冷却水系のスライム、スケールを的確に防止（抑制を含む。）することができる。
【図面の簡単な説明】
【００１９】
【図１】実施の形態に係る付着物検出装置のプローブの断面図である。
【図２】実施の形態に係る付着物検出装置のセンサの斜視図である。
【図３】実施の形態の回路ブロック図である。
【図４】通電パターン及び温度変化パターン図である。
【図５】管壁部分における温度分布図である。
【発明を実施するための形態】
【００２０】
以下、図面を参照して実施の形態について説明する。
【００２１】
第１図は実施の形態に係るスライム付着検出装置のプローブ付近の長手方向の断面図である。このスライム付着検出装置は、前記特許文献３（特開２０１０−１０１８４０）に記載のものである。
【００２２】
このプローブ１は、基端側が開放し先端側が閉じた真鍮、ステンレス等の耐食性金属よりなる金属管２と、該金属管２内に配置した発熱体３及び測温体４と、金属管２の内周面と該発熱体３及び測温体４との間のスペースに充填された電気絶縁性かつ熱良導性の酸化マグネシウム（マグネシア）粒子などの充填材５等を有する。プローブ１の基端側はエポキシ樹脂等の樹脂１４で封止されている。
【００２３】
金属管２の肉厚は０．０５〜０．５ｍｍ程度が好適である。金属管２の直径は２〜５ｍｍ程度が好適である。
【００２４】
発熱体３としては、絶縁性基板上に白金薄膜を形成したものなどが好適である。測温体４としては、熱電対やサーミスタ等が好適である。ただし、発熱体３及び測温体４としてはこれら以外のものを用いてもよい。
【００２５】
発熱体３は、金属管２の軸心部に配置されるのが好ましい。測温体４は、発熱体３と金属管２の内周面との間において金属管２の内周面と接するように設けられるのが好ましい。
【００２６】
発熱体３への通電用リード線３ａ，３ｂのうち、一方のリード線３ａはプローブ１外にまで延在し、他方のリード線３ｂは金属管２に半田付け等により接続され、金属管２を介してリード線３ｃに導通しているが、リード線３ｂもリード線３ａと同様にプローブ１外にまで延在してもよい。なお、リード線３ｃは金属管２の基端に半田付け等により接続されている。測温体４からの２本のリード線４ａ，４ｂは、プローブ１外に引き出されている。これらのリード線には絶縁被覆が施されている。
【００２７】
第２図は、このプローブ１を有したセンサの斜視図である。略円筒形のケーシング６の先端面の中心部からプローブ１が突設されている。このプローブ１に近接して、かつプローブ１から見て一方のサイドにのみバッフル７ａ，７ｂが設けられている。第２図（ａ）の形態では、バッフル７ａは一端側が半円筒形（弧の長さが円周の１／２である曲板形）であるバッフル部８ａとしたものであり、他端側の基部９ａにケーシング６を嵌入させて、バッフル部８ａがプローブ１の一方のサイドを囲うように固定されている。バッフル８ａは、プローブ１と平行方向に、かつプローブ１と同様の長さで、ケーシング６の先端から突設されている。バッフル部８ａとプローブ１の中心との距離は、ケーシング６の半径と略等しく、例えばプローブ１の外径の３〜１０倍程度である。バッフル８ａの弧の長さは、円周の１／２に限られないが、弧の長さが大きすぎるとプローブ１の周囲の液が滞留して液の交換が行われないために正確な検出が行えず、小さすぎると流速の影響を十分に抑えることができないため、円周の１／３〜１／２とするのが好ましい。
【００２８】
バッフル部８ａの形状は、半円筒形に限られず、第２図（ｂ）のように、半円柱状としてもよく、平板状（図示せず）としてもよいが、バッフル部８ｂとプローブ１との距離が短すぎるとバッフル部８ｂとプローブ１の間にスライム等の付着物がブリッジングを起こすおそれがあり、距離が長すぎると流速の影響を十分に抑えられないおそれがあるため、第２図（ａ）のように曲板形とするのが好ましい。
【００２９】
このプローブ１の発熱体３への通電制御手段と、測温体４の出力信号を処理して付着物の付着状況の判定を行う判定手段とを有する計測ユニットの構成について第３図を参照して説明する。
【００３０】
この計測ユニット１０は、発熱体３に電流を出力する電流出力部１１と、測温体４からの温度信号を入力してデジタル信号に変換する温度入力部１２と、温度入力部１２からの信号を入力して、測温体の温度情報に基づいて電流出力部１１が出力すべき電流値を演算すると共に、スライムの付着判定を行う演算部１３より構成される。この演算部１３はマイクロコンピュータ（μ−ＣＰＵ）や大規模集積回路（ＬＳＩ）によって構成された演算処理回路である。演算部１３は、発熱体３への通電電流値を周期的に変動させながら、測温体４からの温度データに基づき、プローブ１の表面に付着する付着物によって発生する伝熱抵抗の上昇から付着物の付着状況を判定する。
【００３１】
この付着物検出装置を用いて水系のスライム発生状況を観察するには、プローブ１を水系の水中に没するように、かつ、バッフル７が水の流れ方向においてプローブ１よりも上流側となるように配置する。そして、第４図のように発熱体３にパルス状に通電を行い、測温体４の計測温度を検出し、この結果に基づいてプローブ１へのスライムの付着量を判定し、水系におけるスライムの発生状況（発生し易さ）を判定する。
【００３２】
第４図のように、発熱体３に通電を開始すると、発熱体３の発熱が測温体４に伝熱することにより、測温体４の検出温度がＴ１から上昇を開始する。測温体４の検出温度は、発熱体３からの発熱量と、プローブ１の表面からの放熱量とがバランス（平衡）するまで上昇する。
【００３３】
通電時間ｔ１を、測温体４の検出温度がほぼ平衡温度Ｔ２に達するのに十分な時間となるように選定しておく。この時間ｔ１は、予め通電試験を行って決定すればよい。ただし、ｔ１を過度に長くすると、測定のリアルタイム性が乏しくなるので、実質的に平衡温度とみなせる温度（例えば、最終的な平衡温度との差が０．１℃以内となる温度）まで昇温するのに要する時間をｔ１として設定すればよい。通常の場合、ｔ１は５〜６０秒特に５〜２０秒程度が好ましい。
【００３４】
発熱体３への通電を停止すると、プローブ１から周囲の水中に放熱することにより、測温体４の検出温度が低下し始める。通電停止時間ｔ２を、プローブ１にスライムが付着している場合でも測温体４の検出温度が周囲水温とほぼ等しい平衡温度Ｔ１に達するのに十分な時間となるように選定しておく。この時間ｔ２は、予め通電試験を行って決定すればよい。ただし、ｔ２を過度に長くすると、測定のリアルタイム性が乏しくなるので、実質的に平衡温度とみなせる温度（例えば、水温との差が０．１℃以内となる温度）まで低下するのに要する時間をｔ２として設定すればよい。通常の場合、ｔ２は２０〜３００秒特に６０〜３００秒程度が好ましい。
【００３５】
なお、第４図ではｔ２時間帯では通電量をゼロとしているが、ｔ１時間帯の通電量ｉ１に比べて微量の定電流ｉ２を通電するようにしてもよい。ただし、ｉ２＝０とするのが好ましい。
【００３６】
水系の水温が変動しない場合、プローブ１にスライムが付着していない状態では、１つの通電時間ｔ１開始前の計測温度Ｔ１と、この通電時間ｔ１末期の計測温度Ｔ２とはいずれも経時的に一定である。なお、Ｔ２とＴ１との差が５〜２０℃程度となるように発熱体３への通電量を設定するのが好ましい。
【００３７】
プローブ１にスライムが付着した状態では、通電時間ｔ１末期の計測温度Ｔ２は、プローブ１にスライムが付着してないときに比べて高い温度となる。これは、スライムによってプローブ１から水への伝熱が阻害されるからであり、詳しいメカニズムについては次に述べる。
【００３８】
従って、第４図に示すパルス通電を繰り返し行いながら温度Ｔ１，Ｔ２を経時的に測定し、Ｔ１とＴ２との差（Ｔ２−Ｔ１）の経時的変化からプローブ１へのスライムの付着の有無及び付着量を検知することができる。
【００３９】
上記の温度Ｔ１，Ｔ２からスライムの付着厚さを求める算出式は下記の数１の通りである。なお、この式は、第５図に示す伝熱モデルに基づくものである。
【００４０】
【数１】
0005962134.tif 000002
【００４１】
第５図において、Ｔｗ（水温）はＴ１である。Ｔｓ（センサ表面温度）は、センサ内部の熱伝導度がｋｆに比べて無視できる程度に小さい値であるときには、Ｔ２に等しい値とすることができる。また、Ｔｗ、Ｔｓ以外の右辺の項目は、センサの形状、発熱体の抵抗値及び通電量などより求められる定数である。
【００４２】
例えば、熱流束ｑについては、発熱体３の電気抵抗値Ｒ、発熱体３への通電電流値ｉ，発熱体３のプローブ長手方向の長さＬ、金属管２の半径ｒ１より次式に従って算出することができる。
【００４３】
【数２】
0005962134.tif 000003
【００４４】
従って、Ｔ１とＴ２を計測することにより、スライム（センサ表面付着物）の厚みを計測することができる。
【００４５】
但し、層流境膜伝熱係数を定数と見なすためには、層流境膜の厚みを一定にする必要があり、その為にはセンサが浸漬された水の流速を一定、または層流境膜伝熱係数の変動が無視できる速度値以上とする必要がある。第２図のようにバッフル７を設けると、この層流境膜が薄くなり、精度の高い測定が可能となる。
【００４６】
次に、ＬＴＤ又はＡＴＤに基づく付着物検出（熱交換器の汚れ状態の推定）について説明する。
【００４７】
この付着物検出方法は、前記特許文献２（特開平７−２１８１８８）に記載の方法である。
【００４８】
この熱交換器の汚れ状態の推定方法を実施するには、冷凍機等の熱交換器の冷却水の入口温度及び出口温度と被冷却体の冷却後の温度（出口温度に相当）とを測定し、まず、下記(I)式又は(II)式によりＬＴＤ値又はＡＴＤ値を求める。
【００４９】
ＬＴＤ＝被冷却体出口温度−冷却水出口温度  …(I)
ＡＴＤ＝被冷却体出口温度−冷却水入口温度  …(II)
なお、この温度測定に当っては、より正確な測定を行うことが重要であり、例えば、下記i)の方法、或いは、より正確には下記ii)の測定方法を採用するのが好ましい。
【００５０】
i)  作業員により測定を行う際には、１点の測定を少なくとも３回（この測定回数は多い程好ましい）行い、その平均値を求める。
【００５１】
ii)  温度センサを測定対象部位に貼付又は挿入し、一定時間毎に測定値を採る。
【００５２】
上記(I)又は(II)式によりＬＴＤ値又はＡＴＤ値を求めた後は、下記(III)式又は(IV)式により補正ＬＴＤ値又は補正ＡＴＤ値を求める。
【００５３】
補正ＬＴＤ＝ＬＴＤ×定格の冷却水出入口温度差÷実測の冷却水出入口温度差…(III)
補正ＡＴＤ＝ＡＴＤ×定格の冷却水出入口温度差÷実測の冷却水出入口温度差  …(IV)
ここで、定格の冷却水出入口温度差とは、１００％負荷（全負荷）稼働時の当該熱交換器の冷却水出入口温度差であり、例えば、ＪＩＳ  Ｂ８６２１では、遠心冷凍機について定格の冷却水出入口温度差は５℃が採用されている。
【００５４】
上記(III)式又は(IV)式で算出される補正ＬＴＤ値又はＡＴＤ値は、汚れの付着状況のみを反映するものであり、例えば次のような判定を行うことにより、現在の汚れの付着状況の把握、今後の汚れの付着状況の推定及び適当な洗浄時期の判断を容易に行える。
【００５５】
Ａ．当該冷凍機において、高圧カット等の運転停止を引き起こす被冷却体出口温度（冷媒凝縮温度）と負荷最高温度を示すときの冷却水出入口温度とから、ＬＴＤ又はＡＴＤの許容限界値ＬＴＤｆ又はＡＴＤｆを求める。
【００５６】
Ｂ．上記許容限界値ＬＴＤｆ又はＡＴＤｆと現在の補正ＬＴＤ又は補正ＡＴＤとの差を求め、汚れの付着状況が高圧カットに到るまでに、どれだけ余裕を有するか判定する。
【００５７】
Ｃ．補正ＬＴＤ又は補正ＡＴＤの推移（測定値をプロットしたグラフの勾配）から、この値が許容限界値ＬＴＤｆ又はＡＴＤｆを上廻るまでに要する時間を推定し、洗浄の要否或いは洗浄時期を決定する。
【００５８】
通常の場合、洗浄時期は、許容限界値ＬＴＤｆ又はＡＴＤｆとの差が予め定めた所定値以下となったときとするのが有利である。
【００５９】
この所定値は、洗浄対象とする冷却水系の規模や性能、冷却水温度等に応じて適宜決定されるが、冷凍機の場合、８〜１５℃程度とされる。一般の熱交換器の場合にも、被冷却体の温度に応じて適宜決定される。
【００６０】
被冷却体出口温度と冷却水出口温度又は冷却水入口温度との差から求めたＬＴＤ値又はＡＴＤ値を、定格の冷却水出入口温度差と実測の冷却水出入口温度差との比で補正することにより、現在の状態を定格の状態とした場合のＬＴＤ値又はＡＴＤ値を求めることができる。
【００６１】
この補正ＬＴＤ値又はＡＴＤ値は、汚れ係数と比例するものであり、即ち、補正ＬＴＤ又は補正ＡＴＤ＝ａ×汚れ係数＋ｂの関係にあり、汚れの付着状況のみを正確に示すものである。
【００６２】
本発明の一態様では、このように特許文献２に記載の方法によってＬＴＤ又はＡＴＤに基づいて冷却水ラインにおける付着物量を検出すると共に、前記特許文献３に記載された第１図〜第４図に示されるスライムセンサを用いてスライム付着量を検出する。このスライムセンサによるスライムの検出は、スライム付着を早期に検出することができ、実際にＬＴＤ又はＡＴＤが変化するよりも早期にスライムセンサがスライムを検出する。そのため、スライムセンサがスライムを検出したときにはスライム防止剤を検出値に応じて添加する。スライム防止剤を添加したにも拘らず、その後ＬＴＤ又はＡＴＤに基づく付着物が検出されるならば、それはスケールが付着していることを意味するので、付着物検出量に応じて冷却水系にスケール防止剤を添加する。これにより、スライム、スケールの双方を的確に防止することができる。
【００６３】
本発明の別の態様では、ＬＴＤ又はＡＴＤに基づいて付着物の検出を行い、付着物が検出されたときのスライムセンサのスライム付着量を参照する。スライムセンサがスライムを検出していなければ、付着物はスケールであるので、冷却水系にスケール防止剤を添加する。スライムセンサがスライムを検出しており、このスライム検出量がＬＴＤ又はＡＴＤに基づく付着量に見合う量であるときには、付着物はスライムであると判別し、スライム防止剤を添加する（なお、このためには、スライムセンサの検出値とＬＴＤ又はＡＴＤに基づくスライム付着検出量との相関関係を予め求めておく。）。スライムセンサがスライムを検出しているが、このスライムセンサの検出スライム量がＬＴＤ又はＡＴＤに基づく付着検出量よりも少ないときには、スライムとスケールの双方が付着していることになるので、スライム防止剤とスケール防止剤とを添加する。さらに、スライムとスケールの付着量の割合を算出し、その割合に応じた量のスライム防止剤とスケール防止剤とを添加することもできる。
【実施例】
【００６４】
［実施例１］
５００冷凍トンのターボ冷凍機を有する冷凍機冷却水系において、凝縮器のＬＴＤを測定し、上記特許文献２の方法によって補正ＬＴＤを演算した。また、第１図〜第３図に示した上記特許文献３のスライムセンサを用いてスライムを検出した。
【００６５】
補正ＬＴＤが８℃まで上昇した時点で、スライムセンサの出力値に０．５℃程度の上昇が見られたため、スライム剥離剤を含有する栗田工業社製の「クリンストリームＣ−１０１」を２００ｍｇ／Ｌ添加した結果、スライム付着検出装置のセンサ出力値、補正ＬＴＤは共に低下した。
【００６６】
［実施例２］
実施例１と同一の冷凍機冷却水系において、補正ＬＴＤは８℃まで上昇したが、スライムセンサ出力値はほぼ一定に推移していた。このため、スケール洗浄剤である栗田工業社製の「タワークリンＣＳ」を１１０００ｍｇ／Ｌ投入して、洗浄を行った結果、補正ＬＴＤは適正値まで低下した。
【００６７】
これらの実施例１，２により、本発明によると的確な薬注が可能であることが認められた。
【符号の説明】
【００６８】
１  プローブ
２  金属管
３  発熱体
４  測温体
５  充填材
７ａ，７ｂ  バッフル
【図１】
0005962134.tif 000004
【図２】
0005962134.tif 000005
【図３】
0005962134.tif 000006
【図４】
0005962134.tif 000007
【図５】
0005962134.tif 000008